(57)【要約】【課題】箱本体内に密に収容された複数の内箱を簡単な構成にて容易に取り出すことができ、しかも内箱が複数段に収容された場合の下段の内箱も容易に取り出せるようにする。【解決手段】複数の内箱２を箱本体３内に密に収容し箱本体３の側面４ａ，４ｂ、５ａ，５ｂ上端に連設された上蓋形成用フラップ６ａ，６ｂ、７ａ，７ｂにより閉塞するようにしている紙製包装箱１であって、上蓋形成用フラップの内蓋フラップ６ａに指を挿入するための挿入穴８を設けると共に、挿入穴８から該挿入穴８を設けた内蓋フラップ６ａが連設する箱本体３の側面４ａにかけて切離しを容易にした所要幅のカット線９，９を設けて開口片部１０を形成する。【選択図】図１
2005119699.tif 000002
【特許請求の範囲】
【請求項１】
複数の内箱を箱本体内に密に収容し箱本体の側面上端に連設された上蓋形成用フラップにより閉塞するようにしている紙製包装箱であって、前記上蓋形成用フラップの少なくとも１つに指を挿入するための挿入穴を設けると共に、該挿入穴から該挿入穴を設けた上蓋形成用フラップが連設する箱本体の側面にかけて切離しを容易にした所要幅のカット線を設けて開口片部を形成するようにしたことを特徴とする紙製包装箱。
【請求項２】
前記上蓋形成用フラップが内蓋フラップと外蓋フラップとからなる場合に、内蓋フラップ側に前記開口片部を形成したことを特徴とする請求項１に記載の紙製包装箱。
【請求項３】
前記内箱が平面長方形状を有する場合に、内箱の長辺に対応する上蓋形成用フラップ側に前記開口片部を形成したことを特徴とする請求項１に記載の紙製包装箱。
【請求項４】
前記箱本体内部に収容する内箱の段数に応じて前記開口片部のカット線の長さを設定したことを特徴とする請求項１〜３のいずれか１つに記載の紙製包装箱。
【請求項５】
前記開口片部に補強材を貼付したことを特徴とする請求項１〜４のいずれか１つに記載の紙製包装箱。
【発明の詳細な説明】
【技術分野】
【０００１】
本発明は、複数の内箱を密に収容するようにした紙製包装箱に関するものである。
【背景技術】
【０００２】
従来、物品を複数の内箱に収容し、この内箱を複数個密に収容するようにした紙製包装箱には図８、図９に示す形状のものが一般に知られている。図８、図９では平面が長方形の扁平な矩形形状を有する５個の内箱２を、矩形形状の紙製包装箱１の箱本体３の内部に密に収容するようにしている。箱本体３の四周の側面４ａ，４ｂ、５ａ，５ｂの上辺には該側面４ａ，４ｂ、５ａ，５ｂと連続して上方に延びる内蓋フラップ６ａ，６ｂと外蓋フラップ７ａ，７ｂからなる上蓋形成用フラップが形成されている。そして、内蓋フラップ６ａ，６ｂを収容した内箱２上に折り曲げた後、外蓋フラップ７ａ，７ｂを内蓋フラップ６ａ，６ｂ上に折り曲げて図９に示す如く箱本体３の上部開口を閉塞して内箱２を包装している。
【０００３】
しかし、図８、図９に示した紙製包装箱１では、図８に示すように上蓋形成用フラップ６ａ，６ｂ、７ａ，７ｂを開放して箱本体３内の内箱２を取り出す際に、内箱２が箱本体３に密に収容されているために内箱２に指を掛けることができず、このために箱本体３から内箱２を取り出すことができない。
【０００４】
従って、上記したような紙製包装箱１の場合、通常は箱本体３を破って内箱２を取り出すようにしており、このために前記紙製包装箱１は再使用ができないという問題を有していた。
【０００５】
こうした問題に対して、外装ケース内に密に収容された内装ケースを容易に取り出せるようにするために、内装ケースに押圧をかけることにより指一本の大きさの開口が形成される舌片を設けたものがある（例えば、特許文献１参照）。
【０００６】
又、段ボール製包装箱の上端部において短辺側の各側板とこの側板の上端に連設された上蓋形成用フラップとにまたがって２本の平行な切り込みを入れ、前記側板側での２本の平行な切り込みの端部間および上蓋形成用フラップ側での２本の平行な切り込みの端部間に各側板と上蓋形成用フラップとの連設線と平行な折曲線を形成し、２本の平行な切り込みで挟まれる部分には各側板と上蓋形成用フラップとの連設線と一直線状の折曲線を形成しており、さらにこの折曲線と前記上蓋形成用フラップ側での２本の平行な切り込みの端部間の折曲線との間で２本の平行な切り込み間に前記各折曲線と平行な別の折曲線を形成し、前記短辺側の上蓋形成用フラップを開放することによって前記連設線部分に指を挿入する空間を形成させるようにしたものがある（例えば、特許文献２参照）。
【特許文献１】特開平０９−５８６６７号公報
【特許文献２】特開２００２−２６４９２３号公報
【発明の開示】
【発明が解決しようとする課題】
【０００７】
しかし、前記特許文献１では、外装ケースから内装ケースを取り出す際に、内装ケースに設けた舌片を押圧して開口を形成するために、物品が内装ケースに収容されたまま製品として取り扱われる場合には、開口が形成されてしまった内装ケースは製品として使用できない。一般には内装ケースに物品が収容されたまま製品として取り扱われる場合が多く、従ってこのような場合には適用できない。
【０００８】
又、特許文献２では、短辺側の上蓋形成用フラップを開放することによって連設線部分に指が挿入できる空間を形成させるために、２本の平行な切り込みを設け、この２本の平行な切り込みの間に複数の折曲線を形成するようにしており、しかもこの折曲線は前記空間を形成するために異なった方向への折り癖を持たせる必要があり、このために折曲線に沿って段ボールの厚み方向の異なる側を切除する等の必要があり、構造が複雑で製作に手数と時間が掛るという問題がある。
【０００９】
又、上記特許文献２では、側板と上蓋形成用フラップとの連設線部分に前記空間を形成させるようにしているため、箱本体の内部に被包装物が多段に収容されている場合には、最上段の被包装物は取り出すことができても、それより下段の被包装物は取り出すことができないという問題がある。
【００１０】
本発明は、上記実情に鑑みてなしたもので、箱本体内に密に収容された複数の内箱を簡単な構成にて容易に取り出すことができ、しかも内箱が複数段に収容された場合の下段の内箱も容易に取り出すことができる紙製包装箱を提供することを目的とする。
【課題を解決するための手段】
【００１１】
請求項１に記載の発明は、複数の内箱を箱本体内に密に収容し箱本体の側面上端に連設された上蓋形成用フラップにより閉塞するようにしている紙製包装箱であって、前記上蓋形成用フラップの少なくとも１つに指を挿入するための挿入穴を設けると共に、該挿入穴から該挿入穴を設けた上蓋形成用フラップが連設する箱本体の側面にかけて切離しを容易にした所要幅のカット線を設けて開口片部を形成するようにしたことを特徴とする紙製包装箱、に係るものである。
【００１２】
請求項２に記載の発明は、前記上蓋形成用フラップが内蓋フラップと外蓋フラップとからなる場合に、内蓋フラップ側に前記開口片部を形成したことを特徴とする請求項１に記載の紙製包装箱、に係るものである。
【００１３】
請求項３に記載の発明は、前記内箱が平面長方形状を有する場合に、内箱の長辺に対応する上蓋形成用フラップ側に前記開口片部を形成したことを特徴とする請求項１に記載の紙製包装箱、に係るものである。
【００１４】
請求項４に記載の発明は、前記箱本体内部に収容する内箱の段数に応じて前記開口片部のカット線の長さを設定したことを特徴とする請求項１〜３のいずれか１つに記載の紙製包装箱、に係るものである。
【００１５】
請求項５に記載の発明は、前記開口片部に補強材を貼付したことを特徴とする請求項１〜４のいずれか１つに記載の紙製包装箱、に係るものである。
【発明の効果】
【００１６】
本発明によれば、上蓋形成用フラップの少なくとも１つに指を挿入するための挿入穴を設けると共に、該挿入穴から該挿入穴を設けた上蓋形成用フラップが連設する箱本体の側面にかけて切離しを容易にした所要幅のカット線を設けて開口片部を形成するようにしたので、箱本体から内箱を取り出す際に、上蓋形成用フラップを開放して、挿入穴に指を挿入して開口片部の上端を内蓋フラップの面と直角方向に引っ張ると、内蓋フラップと側面のカット線に沿って切離され、開口片部が外部に離反した状態になることにより内箱の上部が露出するので、この内箱の露出部分に指を当てがって上方に擦りあげるようにすると、内箱は指の摩擦力によって上部に持ち上げられ、これにより内箱を掴むことができるので、内箱をしっかり把持して容易に取り出すことができる効果がある。又、１個の内箱が取り出されると、箱本体内に空間ができるので、他の内箱は空間に向けて傾けることで容易に掴んで取り出すことができる効果がある。
【００１７】
更に、箱本体の内部に内箱が複数段に収容されている場合には、開口片部の上端を更に引っ張って、下段の内箱が上面から所要の長さだけ露出されるように開口片部の切離し長さを調節することにより、前記と同様にして下段の内箱を容易に取り出すことかできる効果がある。
【００１８】
又、開口片部を内蓋フラップ側に形成するようにしたことにより、紙製包装箱を再び使用する際に、切離した開口片部を切離す前の元の状態に戻して再び箱本体の内部に内箱を収容し、内蓋フラップと外蓋フラップにより閉塞して包装すると、内蓋フラップに形成されて切離された後再び元に戻された開口片部は、外蓋フラップによって上部から押えられることによって箱本体と一体化した状態になるので、側面に開口が形成されることなく紙製包装箱を良好に再使用することができる効果がある。
【００１９】
更に、開口片部に予め補強材を貼付するようにしたことにより、開口片部の強度を高めることができ、よって、開口片部の幅寸法を狭くしても開口片部が千切れるようなことがなく、しかも開口片部を狭く形成できることによって紙製包装箱の強度を高く保持できる効果がある。
【発明を実施するための最良の形態】
【００２０】
以下、本発明の実施の形態を添付図面を参照して説明する。
【００２１】
図１〜図５は本発明を実施する紙製包装箱の形態の一例であり、基本的な構成は、図８、図９に示す紙製包装箱と略同一であり、図中、図８、図９に示したものと同一のものには同一の符号を付してある。
【００２２】
図１に示す如く、複数の内箱２を箱本体３内に密に収容するようにした段ボール等の箱本体３の側面４ａ，４ｂ、５ａ，５ｂの各上端に、内蓋フラップ６ａ，６ｂと外蓋フラップ７ａ，７ｂとからなる上蓋形成用フラップが連設している紙製包装箱１において、前記内蓋フラップ６ａ，６ｂの一方（図では内蓋フラップ６ａ）に、指を挿入するための挿入穴８を設け、更に、該挿入穴８から該挿入穴８を設けた内蓋フラップ６ａが連設している箱本体３の側面４ａにかけて切離しを容易にした所要幅のカット線９，９を設け、上記挿入穴８とカット線９，９とによって開口片部１０を形成できるようにしている。このとき、カット線９，９は例えばミシン目状の切断線であってこの切断線に沿って容易に切離しができるようにしている。
【００２３】
又、図１では内箱２が平面長方形状を有しており、内箱２の長辺に対応している内蓋フラップ６ａ側に前記開口片部１０を形成している。尚、上記開口片部１０は、前記内箱２の並べ方等によって、上蓋形成用フラップ６ａ，６ｂ、７ａ，７ｂのいずれに対応するように設けてもよく、また、必要な場合には２個所以上に開口片部１０を設けるようにしてもよい。
【００２４】
更に、図２に示す如く、前記箱本体３の内部に内箱２が複数段（図２では２段）に収容される場合には、前記開口片部１０のカット線９，９の下端が最下段の内箱２の上面より下部まで延長された長さに設定する。
【００２５】
以下に上記形態例の作用を説明する。
【００２６】
図１に示す如く、複数の内箱２を箱本体３内に密に収容し、内蓋フラップ６ａ，６ｂを収容された内箱２上に折り曲げた後、外蓋フラップ７ａ，７ｂを内蓋フラップ６ａ，６ｂ上に折り曲げることにより箱本体３の上部開口を閉塞して内箱２の包装を行うが、このとき、開口片部１０を内蓋フラップ６ａ側に形成したので、包装時には内蓋フラップ６ａに形成された挿入穴８とカット線９，９が外蓋フラップ７ａ，７ｂによって隠れ、紙製包装箱１の外面には側面４ａのカット線９，９のみが露出するようになる。
【００２７】
箱本体３から内箱２を取り出すには、まず外蓋フラップ７ａ，７ｂを上側に開放し（図１の状態）、続いて内蓋フラップ６ａ，６ｂを上側に開放する（図２の状態）。
【００２８】
続いて、図２の挿入穴８に指を挿入して開口片部１０の上端を内蓋フラップ６ａの面と直角方向に引っ張ると、内蓋フラップ６ａと側面４ａのカット線９，９に沿って切離されて、図３のように開口片部１０が外部に離反した状態になって内箱２の上部が露出される。このとき、箱本体３に内箱２が１段で収容されている場合には、図３に示す如く、内箱２が上面から所要の長さだけ露出されるように前記開口片部１０の切離し長さを調節する。
【００２９】
上記開口片部１０の切離しにより、図４に平面図を示す如く、内蓋フラップ６ａに指が挿入できる空間が形成されるので、この空間から指を挿入して前記内箱２の露出部分に指を当てがって上方に擦りあげるようにすると、内箱２は指の摩擦力によって上部に持ち上げられる。内箱２が僅かでも持ち上げられると、内箱２を他の指と共に掴むことができるので、内箱２はしっかり把持して容易に取り出すことができる。
【００３０】
１個の内箱２が取り出されると、箱本体３内に空間ができるので、他の内箱２は空間に向けて傾けることで、容易に掴んで取り出せるようになる。
【００３１】
更に、箱本体３の内部に内箱２が複数段に収容される場合には、図５に示す如く、開口片部１０の上端を更に引っ張って、下段の内箱２が上面から所要の長さだけ露出されるように前記開口片部１０の切離し長さを調節する。これにより、前記した１段の内箱２が収容された場合と同様の取り出し方法によって容易に下段の内箱２を取り出すことができる。
【００３２】
又、前記紙製包装箱１を再び使用する際には、前記切離した開口片部１０を切離す前の元の状態に戻す。このとき、開口片部１０のカット線９，９に沿った切離し面は凹凸を有しており、且つ段ボールでは厚みを有しているために、元に戻すことによってその状態が保持されるようになる。この状態で再び箱本体３の内部に内箱２を収容し、内蓋フラップ６ａ，６ｂと外蓋フラップ７ａ，７ｂにより閉塞して包装する。このとき、前記内蓋フラップ６ａに形成されて切離された後再び元に戻された開口片部１０は、外蓋フラップ７ａ，７ｂによって上部から押えられることによって箱本体３と一体化した状態になるので、側面４ａに開口が形成されることなく紙製包装箱１を良好に再使用することができる。
【００３３】
尚、図１の形態では、内箱２が平面長方形を有しているとき、内箱２の長辺に対応している内蓋フラップ６ａ側に開口片部１０を形成した場合について説明したが、これとは逆に内箱２の短辺に対応する側に開口片部１０を形成することもできる。しかし、この場合には短辺の一方に対応して開口片部１０を設けたのみでは内箱２を良好に取り出すことは困難であり、このために内箱２の短辺の両方に対応して開口片部１０を形成する必要がある。しかし、この場合には構造が複雑になると共に、箱本体３の強度も低下することになるため好ましくない。
【００３４】
図６は本発明の他の形態を示すもので、箱本体に１列６個の内箱が平面方向に２列に収容された場合を示している。図６では、内蓋フラップ６ａにおける内箱２の１つの列（右側の列）に対応した位置に開口片部１０をずらして形成している。図６の形態の場合にも、前記開口片部１０によって１つの内箱２を取り出し、これによって他の内箱２も容易に取り出すことができる。
【００３５】
図７は本発明の更に他の形態を示したもので、前記開口片部１０に予めテープ状の補強材１１を貼付するようにした場合を示している。この補強材１１には種々の材料のものを用いることができ、補強材１１は紙製包装箱１の外面に貼付しても或いは内面に貼付してもよい。上記したように、開口片部１０に補強材１１を貼付することによって開口片部１０の強度を高めることができ、よって、開口片部１０の幅寸法を狭くしても開口片部１０が千切れるようなことがなく、しかも開口片部１０を狭く形成できることによって紙製包装箱１の強度を高く保持できるようになる。
【００３６】
なお、本発明の紙製包装箱は、上記した実施の形態に限定されるものではなく、本発明の要旨を逸脱しない範囲内において種々変更を加え得ることは勿論である。
【図面の簡単な説明】
【００３７】
【図１】本発明の紙製包装箱の実施の形態の一例を示す斜視図である。
【図２】図１の紙製包装箱の正面図である。
【図３】図２の紙製包装箱の開口片部を所要の長さで切離した状態を示す正面図である。
【図４】図３の平面図である。
【図５】図３の紙製包装箱の開口片部を更に長い長さで切離した状態を示す正面図である。
【図６】本発明の他の形態を示す平面図である。
【図７】本発明の更に他の形態を示す正面図である。
【図８】従来の紙製包装箱の一例を示すもので、上蓋形成用フラップを開放した状態を示す斜視図である。
【図９】図８の上蓋形成用フラップを閉塞して内箱を包装した状態を示す斜視図である。
【符号の説明】
【００３８】
１  紙製包装箱
２  内箱
３  箱本体
４ａ，４ｂ、５ａ，５ｂ      側面
６ａ，６ｂ  内蓋フラップ（上蓋形成用フラップ）
７ａ，７ｂ  外蓋フラップ（上蓋形成用フラップ）
８  挿入穴
９，９      カット線
１０  開口片部
１１  補強材
【図１】
2005119699.tif 000003
【図２】
2005119699.tif 000004
【図３】
2005119699.tif 000005
【図４】
2005119699.tif 000006
【図５】
2005119699.tif 000007
【図６】
2005119699.tif 000008
【図７】
2005119699.tif 000009
【図８】
2005119699.tif 000010
【図９】
2005119699.tif 000011